(57)【特許請求の範囲】
【請求項１】
複数の分岐管と、前記複数の分岐管にそれぞれ連通する複数の連通穴を備えた円筒状のチャンバー部と、
前記チャンバー部内に軸周りに回転可能に設置されるとともに、前記チャンバー部との間に中継流路が形成され、回転することにより前記複数の連通穴どうしを前記中継流路を介して連通させたり、前記複数の連通穴のうちの少なくとも一つを外周面により遮断させたりすることのできる切換栓とを備えた医療用活栓であって、
前記切換栓の外周面における前記中継流路の周縁部に前記チャンバー部との間を密閉するシール部を設け、
前記シール部を、前記中継流路の周縁部から前記中継流路の開口を覆う方向よりもやや外部側に向かって突出しその肉厚が前記中継流路の周縁部から先端側に行くほど薄くなる可撓性を備えた突条で構成したことを特徴とする医療用活栓。
【請求項２】
前記切換栓および前記シール部を、樹脂材料で一体成形することにより形成した請求項１に記載の医療用活栓。
【請求項３】
前記切換栓を、切換栓本体と、前記中継流路を形成する中継流路形成部と前記シール部とからなり前記切換栓本体に組み付けられる中継流路形成部材とで構成した請求項１に記載の医療用活栓。
【請求項４】
前記複数の連通穴を、前記切換栓が回転する際の軸回り方向に沿って配置された上流穴、中間穴、下流穴の三つの穴で構成するとともに、前記中継流路を、前記切換栓の外周面に、前記切換栓が前記チャンバー部内における軸回り方向の所定の位置に位置したときに、前記上流穴と前記下流穴との一方と前記中間穴とを連通させる第１の溝部と、前記上流穴と前記下流穴との他方と前記中間穴とを連通させる第２の溝部とを設けることにより構成した請求項１ないし３のうちのいずれか一つに記載の医療用活栓。
【発明の詳細な説明】
【技術分野】
【０００１】
本発明は、複数の医療用チューブ等に連結される複数の分岐管を備え、各分岐管の連通、遮断の状態を切り替えることのできる医療用活栓に関する。
【背景技術】
【０００２】
従来から、複数の医療用チューブを用いて患者の体内に所定の薬液や生理食塩水等を供給したり、血液透析や輸血をすることが行われており、このような場合に、医療用活栓を用いて、各医療用チューブ間を連通したり遮断したりすることが行われている（例えば、特許文献１参照）。この医療用活栓は、本体、支持部材、切り換え部材およびシール部から構成されている。本体は両端が開口した円筒部の外周に各流路を介して連通する三つの接続管部を形成した構成をしており、支持部材は本体の一端側に固定された円筒体で構成されている。
【０００３】
切り換え部材は本体の流路に対応する切り換え用流路が形成された円柱部の一端部に操作部が設けられた構成をしており、本体および支持部材に軸方向に移動しないが回動しうるように支持されている。そして、シール部材は本体の流路に対応する流路が形成されたゴム状弾性体製の円筒体で構成されており支持部材に固定されて本体および切り換え部材に圧接している。この医療用活栓では、シール部材によってシール機能が発揮されるため、切り換え部材を本体に緩く嵌め合わせるだけですみ、これによって切り換え部材の回動操作を軽くすることができる。
【先行技術文献】
【特許文献】
【０００４】
【特許文献１】特開２００５−４６３４９号公報
【発明の概要】
【０００５】
しかしながら、前述した従来の医療用活栓では、切り換え部材を本体に緩く嵌め合わせても、シール部材が、本体と切り換え部材とに常時圧接しているため、切り換え部材を回動操作する際にシール部材から相当の抵抗を受ける。また、切り換え部材とシール部材との間を緩くするとシール性が低下する。さらに、従来の医療用活栓では、シール部材に流路が形成されるためその形状が複雑になるという問題もある。
【０００６】
本発明は、このような事情に鑑みなされたもので、その目的は、簡単な構造でシール性および操作性を向上できる医療用活栓を提供することにある。
【０００７】
前述した目的を達成するため、本発明に係る医療用活栓の構成上の特徴は、複数の分岐管と、複数の分岐管にそれぞれ連通する複数の連通穴を備えた円筒状のチャンバー部と、チャンバー部内に軸周りに回転可能に設置されるとともに、チャンバー部との間に中継流路が形成され、回転することにより複数の連通穴どうしを中継流路を介して連通させたり、複数の連通穴のうちの少なくとも一つを外周面により遮断させたりすることのできる切換栓とを備えた医療用活栓であって、切換栓の外周面における中継流路の周縁部にチャンバー部との間を密閉するシール部を設け、シール部を、中継流路の周縁部から中継流路の開口を覆う方向よりもやや外部側に向かって突出しその肉厚が中継流路の周縁部から先端側に行くほど薄くなる可撓性を備えた突条で構成したことにある。
【０００８】
前述したように構成した本発明の医療用活栓では、シール部を切換栓に形成された中継流路におけるチャンバー部に対向する周縁部に設けている。したがって、中継流路内を液体が流れ高圧がかかったときに、シール部がチャンバー部に圧接されて優れたシール性能を発揮し、中継流路内に高圧がかからないときには切換栓を回転させ易くなって切換え時の操作性が向上する。また、シール部は中継流路の周縁部に形成するだけであるためその構造が単純になる。
【０００９】
また、本発明に係る医療用活栓では、シール部を、中継流路の周縁部から中継流路の開口を覆う方向よりもやや外部側に向かって突出しその肉厚が中継流路の周縁部から先端側に行くほど薄くなる可撓性を備えた突条で構成している。この場合、突条は軟質にしておくことが好ましい。これによると、中継流路内が液体によって高圧になったときに、シール部がチャンバー部にさらに圧接されやすくなりより優れたシール性能を発揮するようになる。
【００１０】
また、本発明に係る医療用活栓のさらに他の構成上の特徴は、切換栓およびシール部を、樹脂材料で一体成形することにより形成したことにある。これによると、シール部を備えた切換栓を単純な構造にすることができるとともに、その成形が容易になる。
【００１１】
また、本発明に係る医療用活栓のさらに他の構成上の特徴は、切換栓を、切換栓本体と、中継流路を形成する中継流路形成部とシール部とからなり切換栓本体に組み付けられる中継流路形成部材とで構成したことにある。本発明では、切換栓を、中継流路を形成する中継流路形成部とシール部とからなる中継流路形成部材を切換栓本体に組み付けることにより構成している。このため、中継流路やシール部が複雑な形状であっても、中継流路とシール部とを切換栓本体とは別体からなる中継流路形成部材として成形できるためその成形が容易になる。
【００１２】
また、本発明に係る医療用活栓のさらに他の構成上の特徴は、複数の連通穴を、切換栓が回転する際の軸回り方向に沿って配置された上流穴、中間穴、下流穴の三つの流路で構成するとともに、中継流路を、切換栓の外周面に、切換栓がチャンバー部内における軸回り方向の所定の位置に位置したときに、上流穴と下流穴との一方と中間穴とを連通させる第１の溝部と、上流穴と下流穴との他方と合流分岐部とを連通させる第２の溝部とを設けることにより構成したことにある。
【００１３】
これによると、医療用活栓が備える上流穴、中間穴および下流穴のそれぞれの連通、遮断の状態を任意に切り換えることができる。
【図面の簡単な説明】
【００１４】
【図１】本発明の第１実施形態に係る医療用活栓を示した斜視図である。
【図２】医療用活栓を示した平面図である。
【図３】医療用活栓を示した正面図である。
【図４】医療用活栓を示した左側面図である。
【図５】医療用活栓を示した右側面図である。
【図６】医療用活栓を示した断面図である。
【図７】医療用活栓の内部を示した切り欠き断面図である。
【図８】切換栓を示した斜視図である。
【図９】切換栓を示した平面図である。
【図１０】切換栓を示した横断面図である。
【図１１】図９の１１−１１断面図である。
【図１２】チャンバー部と切換栓との接触状態を示しており、（ａ）は横断面図、（ｂ）は（ａ）に示した楕円領域の拡大図である。
【図１３】本発明の第２実施形態に係る医療用活栓が備える切換栓を示した平面図である。
【図１４】図１３に示した切換栓の横断面図である。
【図１５】図１３の１５−１５断面図である。
【発明を実施するための形態】
【００１５】
（第１実施形態）
以下、本発明の第１実施形態に係る医療用活栓を図面を用いて詳しく説明する。図１ないし図５は、同実施形態に係る医療用活栓Ａを示しており、この医療用活栓Ａは、活栓本体１０、蓋部材２０、蓋部材２０を介して活栓本体１０に取り付けられたゴム栓２５および切換操作栓３０で構成されている。活栓本体１０は、軸方向を前後（図２の上下）に向けて配置された略円筒状のチャンバー部１１（以下、図３を正面とし、上下方向および左右方向は図３を基準にして説明する。）と、チャンバー部１１の左右両側に１８０度の角度を保って略同軸に沿って延びる上流分岐管１２および下流分岐管１３と、上流分岐管１２と下流分岐管１３とに対して直交してチャンバー部１１の上部に設けられた合流用分岐管１４（図６参照）とで構成されている。
【００１６】
チャンバー部１１の後部開口は、図６および図７に示したように、キャップ部材１５で閉塞されている。キャップ部材１５は、前端面が閉塞され、前部側の外径よりも後部側の外径の方が大きくなった段付き円筒体１５ａの後部開口の周縁部に外周側に突出するフランジ状の係止部１５ｂを設けた形状に形成されている。係止部１５ｂの外径はチャンバー部１１の外径と略等しくなり、段付き円筒体１５ａの大径部分の外径はチャンバー部１１の内径よりもやや小さくなっている。そして、段付き円筒体１５ａの外周面とチャンバー部１１の内周面との間には、後述する切換操作栓３０の後端部が嵌合している。
【００１７】
また、チャンバー部１１の軸方向の略中央には、円周に沿って９０度間隔で三つの穴部からなる連通穴が形成されており、これらの連通穴にそれぞれ上流分岐管１２、合流用分岐管１４および下流分岐管１３の内部に形成された流路が連通している。上流分岐管１２に連通する連通穴（図示せず）が本発明に係る上流穴を構成し、合流用分岐管１４に連通する連通穴１４ａが本発明に係る中間穴を構成する。そして、下流分岐管１３に連通する連通穴（図示せず）が本発明に係る下流穴を構成する。
【００１８】
合流用分岐管１４とチャンバー部１１とを連通する連通穴１４ａの直径は、他の連通穴の直径よりも大きく設定されている。また、チャンバー部１１と合流用分岐管１４とを連通する連通穴１４ａの内壁における左右方向の両側（図６では紙面の表側から裏側にかけての部分）には上流分岐管１２から下流分岐管１３に向う流路を前後に仕切る仕切り壁１６が掛け渡された状態で形成されている。仕切り壁１６の上面は、後部側が高く前部側が低くなった傾斜面１７に形成されている。
【００１９】
上流分岐管１２は、チャンバー部１１と一体的に形成された雌ルアーコネクターからなっており、内部には穴部からなる流路が形成されている。そして、上流分岐管１２の開口部の外周面には、連結用のねじ部１２ａが形成されている。下流分岐管１３は、チャンバー部１１と一体的に形成された雄ルアーコネクターからなっており、内部には穴部からなる流路が形成されている。また、下流分岐管１３の先端側部分は先細り状の雄ルアー部１３ａで構成されている。合流用分岐管１４は、チャンバー部１１の上部に設けられた軸方向の長さが短い円筒部で構成されており、この合流用分岐管１４の外周面には、合流用分岐管１４とでゴム栓２５を固定するための蓋部材２０が取り付けられている。
【００２０】
蓋部材２０は、直径の異なる段違い状の略円筒状に形成されており、上部２１が合流用分岐管１４よりもやや直径が小さく、下部２２が合流用分岐管１４よりも直径が大きい略キャップ状に形成されている。この蓋部材２０は、下部２２の下端内周面を合流用分岐管１４の外周面に係合させることにより、合流用分岐管１４に着脱可能に取り付けられている。また、蓋部材２０の下部２２と合流用分岐管１４との係合部の上部には所定の隙間が形成されている。この隙間は、ゴム栓２５の下端部を蓋部材２０に固定するために利用される。
【００２１】
ゴム栓２５は、天然ゴム、合成ゴムまたはエラストマーなどの伸縮性を備えた弾性部材からなっており、肉厚円板状のゴム栓本体２６と、ゴム栓本体２６の上部に形成されたフランジ状係合部２７と、ゴム栓本体２６の下部に形成された略円筒状の固定片２８とで構成されている。そして、図６に示したように、ゴム栓本体２６と固定片２８とを蓋部材２０の内部に押し込み、フランジ状係合部２７を蓋部材２０の開口縁部に係合させるとともに、固定片２８を蓋部材２０の下部２２と合流用分岐管１４とで挟み込むことにより、ゴム栓２５は蓋部材２０に固定されている。
【００２２】
また、ゴム栓２５には、合流用分岐管１４の内部側と蓋部材２０の外部側との間を貫通し、合流用分岐管１４内の流路を外部に連通するためのスリット２９が設けられている。このスリット２９は、合流用分岐管１４内の流路を使用しない時には、ゴム栓２５の弾性によって閉塞された状態になる。また、合流用分岐管１４内の流路を使用する時には、ゴム栓２５のスリット２９に、例えば、シリンジの雄ルアー部を差し込むことによりシリンジの薬液収容部と合流用分岐管１４の流路と連通することができる。その際、雄ルアー部とスリット２９の周面との間は、ゴム栓２５の弾性によって密着状態になる。
【００２３】
切換操作栓３０は、図８および図９に示したように、略円筒状の切換栓３１と、切換栓３１の前端部に連結された操作部３２とで構成されている。切換栓３１は、先端部（後端部）をチャンバー部１１の内周面とキャップ部材１５の段付き円筒体１５ａの外周面との間に挿し込んだ状態でチャンバー部１１内に設置されており、操作部３２を回転操作することにより、薬液等による高圧がかかっていないときにはチャンバー部１１の軸周り方向にスムーズに回転する。また、切換栓３１の外周面には、本発明の中継流路を構成する溝部３３が形成されている。溝部３３は、切換栓３１の外周面における軸方向の中心よりもやや後部側の部分で円周に沿って略半周にわたって延びる幅の大きな凹部で構成されている。
【００２４】
そして、切換栓３１の外周面における溝部３３の周縁部には、軟質のシール部３５が形成されている。このシール部３５は、図１０および図１１に示したように、溝部３３の周縁部から先端側にいくほど肉厚が薄くなった環状の突条で構成されており、先端側が溝部３３の開口を覆う方向よりもやや外部に向かって突出するように形成されている。このシール部３５は、可撓性を備えており、力が加わることにより溝部３３の内部側にもさらに外部側にも撓むことができる。
【００２５】
また、切換栓３１の外周面には、溝部３３とともに本発明の中継流路を構成する溝部３４が溝部３３と軸方向に並んで形成されている。この溝部３４は、切換栓３１の外周面における軸方向の中心よりもやや前部側の部分で溝部３３と平行して切換栓３１の外周面に沿って延びる周方向溝部３４ａと、周方向溝部３４ａの一方の端部から屈曲して軸方向の後部側に向って延びる軸方向溝部３４ｂとからなる略Ｌ字状の凹部で構成されている。溝部３４の軸方向溝部３４ｂは、溝部３３の一方の端部と所定間隔を保った位置に設けられており、溝部３４の周方向溝部３４ａの他方の端部は、溝部３３の他方の端部よりも円周方向に沿った一方側（図８における手前側）に位置している。また、溝部３４の幅は、溝部３３の幅よりも小さくなっている。
【００２６】
溝部３３と溝部３４との切換栓３１の円周方向に沿った長さはともに円周の略半周で等しく設定されており、溝部３３と溝部３４の周方向溝部３４ａとの間隔および溝部３３と溝部３４の軸方向溝部３４ｂとの間隔は略等しく設定されている。そして、溝部３３と溝部３４の周方向溝部３４ａとの間には、切換栓３１の外周面に沿った堰部３６が形成されている。また、チャンバー部１１内に設置された切換栓３１は、外周面における溝部３３および溝部３４の軸方向溝部３４ｂが形成された部分を、チャンバー部１１と上流分岐管１２とを連通する連通穴およびチャンバー部１１と下流分岐管１３とを連通する連通穴の位置に合わせた状態になる。
【００２７】
すなわち、切換栓３１の軸方向における溝部３３および溝部３４の軸方向溝部３４ｂが形成された部分の位置と、チャンバー部１１の軸方向における両連通穴が形成された部分の位置とが一致するようになる。また、チャンバー部１１内に設置された切換栓３１は、溝部３４の周方向溝部３４ａをチャンバー部１１の内周面における前部側部分に対向させた状態になる。すなわち、切換栓３１の軸方向における溝部３４の周方向溝部３４ａが形成された部分の位置と、チャンバー部１１の内周面における前部側部分（両連通穴が形成された部分よりも前部側）の位置とが一致するようになる。
【００２８】
また、切換栓３１の外周面における堰部３６が形成された部分は、チャンバー部１１の内周面における仕切り壁１６の内面前端側部分に対向できる位置にある。このため、図７に示したように、堰部３６が上方を向くように切換栓３１を位置させたときには、溝部３３が上流分岐管１２（図７の手前側に位置する。）内の流路と対向してチャンバー部１１の内部と上流分岐管１２の流路とは溝部３３を介して連通する。また、溝部３４における軸方向溝部３４ｂの後部側（図７では溝部３３の裏面側に位置する。）が下流分岐管１３内の流路と対向してチャンバー部１１の内部と下流分岐管１３の流路とは溝部３４を介して連通する。
【００２９】
この場合、堰部３６の上方には、仕切り壁１６が位置して、堰部３６の上面と仕切り壁１６の下面とは略密着状態で接触する。また、切換操作栓３０のシール部３５が、堰部３６の下面およびチャンバー部１１の内周面に圧接して溝部３３の周縁部とチャンバー部１１の内周面（堰部３６の下面を含む）との間を確実にシールする。そして、仕切り壁１６の上方には、合流用分岐管１４の流路となる空間部が位置しているため、溝部３３と溝部３４とは合流用分岐管１４の流路を介して連通する。したがって、この状態では、上流分岐管１２からチャンバー部１１および合流用分岐管１４を介して下流分岐管１３に薬液等の液体を流すことができる。
【００３０】
この場合、上流分岐管１２から下流分岐管１３に向う流路は、図７に矢印ａで示したように、上流分岐管１２からチャンバー部１１の後部側上方に延びたのちに、仕切り壁１６の上面を通ってチャンバー部１１の前部側に延び、チャンバー部１１の前部側下方から下流分岐管１３に延びる。また、この流路を切換操作栓３０に基づいて示すと、図８に矢印ｂで示したように、上流分岐管１２から溝部３３内に流れてくる薬液等は、上方の仕切り壁１６（矢印ｂの上部の部分に位置する）を乗り越えて溝部３４に流れていく。
【００３１】
このとき、仕切り壁１６の上面に形成された傾斜面１７は、後部側が高く前部側が低くなっているため、薬液等はチャンバー部１１の上方の空間内を通過するようになり、チャンバー部１１や合流用分岐管１４の内部に空気や薬液等の一部が滞留することを抑制できる。その状態から切換操作栓３０を一方に回転させて、溝部３３を下流分岐管１３の流路に対向させるとともに、切換栓３１の外周面を上流分岐管１２の流路に対向させたときには、チャンバー部１１内と下流分岐管１３との間は連通し、チャンバー部１１内と上流分岐管１２との間は遮断される。この場合も、切換操作栓３０のシール部３５は、チャンバー部１１の内周面に圧接して溝部３３の周縁部とチャンバー部１１の内周面との間をシールした状態を維持する。
【００３２】
また、図６の状態から、切換操作栓３０を他方に回転させて、溝部３３の一方の端部側部分を上流分岐管１２の流路に対向させて連通状態を維持するとともに、切換栓３１の外周面を下流分岐管１３の流路に対向させたときには、チャンバー部１１内と下流分岐管１３との間は遮断され、チャンバー部１１内と上流分岐管１２との間は連通する。この場合も、切換操作栓３０のシール部３５は、チャンバー部１１の内周面に圧接して溝部３３の周縁部とチャンバー部１１の内周面との間をシールした状態を維持する。このように、切換操作栓３０を回転操作することにより、上流分岐管１２と下流分岐管１３との双方をチャンバー部１１内に連通したり、一方だけをチャンバー部１１内に連通したりすることができる。
【００３３】
その間、図１２に示したように、チャンバー部１１と切換操作栓３０との間はシール部３５によって、確実にシールされる。図１２は、溝部３３がチャンバー部１１の内面に対向した状態を示しており、溝部３３内に薬液等が流れているときには、シール部３５は薬液等の液圧によってチャンバー部１１の内面により強く圧接する。また、薬液等が流れてなく溝部３３内の液圧が低いときには、シール部３５はチャンバー部１１の内面に弱く圧接する。
【００３４】
なお、操作部３２は、３個の操作片３２ａ，３２ｂ，３２ｃを備えており、この操作片３２ａ，３２ｂ，３２ｃは、それぞれ上流分岐管１２、合流用分岐管１４および下流分岐管１３に対応するように、９０度の角度を保って形成されている。すなわち、図３のように、操作片３２ａが上流分岐管１２を、操作片３２ｂが合流用分岐管１４を、操作片３２ｃが下流分岐管１３をそれぞれ指す位置にあるときには、上流分岐管１２、合流用分岐管１４および下流分岐管１３のすべてがチャンバー部１１を介して連通した状態になる。
【００３５】
また、図３の状態から、操作部３２を時計周り方向に９０度回転して、操作片３２ｂが上流分岐管１２を指し、操作片３２ｃが合流用分岐管１４を指す位置になったときには、上流分岐管１２と合流用分岐管１４とが連通し、合流用分岐管１４と下流分岐管１３との間は遮断された状態になる。さらに、図３の状態から、操作部３２を反時計周り方向に９０度回転して、操作片３２ａが合流用分岐管１４を指し、操作片３２ｂが下流分岐管１３を指す位置になったときには、合流用分岐管１４と下流分岐管１３とが連通し、上流分岐管１２と合流用分岐管１４との間は遮断された状態になる。
【００３６】
また、蓋部材２０にはゴム栓２５を介して、シリンジ等の薬液注入器（ここではシリンジとする）を着脱可能に取り付けることができる。このため、上流分岐管１２と下流分岐管１３とを連通させて上流分岐管１２側から下流分岐管１３側に向けて薬液等を流しながら、その薬液等にシリンジから注入される他の薬液等を混合することができる。また、チャンバー部１１内と上流分岐管１２との間を遮断した状態で、シリンジから下流分岐管１３に他の薬液等を流すこともできる。
【００３７】
この構成において、２種類の薬液を患者（図示せず）の体内に供給する場合には、まず下流分岐管１３に、患者に穿刺して留置するための留置針が接続された医療用チューブ（図示せず）の後端部を接続する。ついで、上流分岐管１２に、患者に供給する一方の薬液を収容する容器等から延びる医療用チューブの先端部に設けられた雄ルアー部を接続する。つぎに、シリンジの薬液収容部内に他方の薬液を吸引した状態で、シリンジの雄ルアー部をゴム栓２５のスリット２９に貫通させる。そして、一方の薬液をチャンバー部１１を含む輸液ライン内に通して、輸液ライン内の空気をすべて外部に放出したのちに、留置針を患者の体に穿刺して留置した状態で容器等の薬液を患者に向けて送り出すことにより患者への薬液の供給を行う。
【００３８】
また、シリンジの薬液収容部内の他方の薬液も、適宜、合流用分岐管１４の流路を介してチャンバー部１１内に注入する。このとき、シリンジの雄ルアー部によってゴム栓本体２６は下方に押され、ゴム栓本体２６の下面が仕切り壁１６の傾斜面１７に接近する。このため、チャンバー部１１や合流用分岐管１４の内部には僅かな空間しかできず、チャンバー部１１や合流用分岐管１４の内部には、空気や薬液の一部が滞留する場所が生じ難くなる。これによって、内部に菌が繁殖することが抑制される。また、チャンバー部１１と合流用分岐管１４との内部に薬液の一部が滞留することもなくなる。
【００３９】
さらに、チャンバー部１１と切換栓３１との間はシール部３５によって、常時シールされるため、溝部３３内に送り込まれた薬液が所定の流路から外れた他の部分に漏れることはない。また、操作部３２の操作は、通常、薬液等の供給を停止した状態で行う。このため、操作部３２を操作する際には、シール部３５はチャンバー部１１の内面に弱く圧接した状態になっており、シール部３５があることによって操作部３２の操作性が悪くなることもない。すなわち、本実施形態によると、溝部３３内に薬液を供給しているときには、液圧により、シール部３５のシール性が向上し、操作部３２を操作する際には、シール部３５がチャンバー部１１の内面に弱く圧接した状態になって、操作部３２の操作性がよくなる。
【００４０】
このように、本実施形態に係る医療用活栓Ａでは、シール部３５を切換操作栓３０に形成された溝部３３の周縁部に設けている。したがって、溝部３３内を薬液が流れ高圧がかかったときに、シール部３５がチャンバー部１１の内周面に圧接されて優れたシール性能を発揮する。また、溝部３３内に高圧がかからないときには切換操作栓３０を回転させ易くなって操作部３２の操作性が向上する。また、シール部３５は溝部３３の周縁部に形成するだけであるためその構造が単純になる。
【００４１】
また、シール部３５を、溝部３３の周縁部から突出しその肉厚が溝部３３の周縁部から先端側に行くほど薄くなる可撓性を備えた軟質の突条で構成したため、溝部３３内が薬液によって高圧になったときに、シール部３５がチャンバー部１１の内周面にさらに圧接されやすくなりより優れたシール性能を発揮するようになる。さらに、シール部３５を切換操作栓３０と一体に成形したため、シール部３５を備えた切換操作栓３０を単純な構造にすることができるとともにその成形が容易になる。
【００４２】
（第２実施形態）
図１３は、本発明の第２実施形態に係る医療用活栓が備える切換操作栓４０を示している。この切換操作栓４０は、前述した切換操作栓３０と略同様の形状をしており、略円筒状の切換栓４１と、切換栓４１の前端部に連結された操作部４２とで構成されている。そして、切換栓４１の外周面には、本発明の中継流路を構成する二つの溝部４３，４４が軸方向に並んで形成されている。切換栓４１の外周面における溝部４３の周縁部には、シール部４５が形成され、溝部４４の周縁部にはシール部４６が形成されている。
【００４３】
このシール部４５，４６は、図１４および図１５に示したように、それぞれ溝部４３，４４の周縁部から先端側にいくほど肉厚が薄くなった環状の突条で構成されており、先端側が溝部４３，４４の開口を覆う方向よりもやや外部に向かって突出するように形成されている。このシール部４５，４６は、可撓性を備えており、力が加わることにより溝部４３，４４の内部側にもさらに外部側にも撓むことができる。この切換操作栓４０および切換操作栓４０を備えた医療用活栓のそれ以外の部分の構成については、前述した医療用活栓Ａと同一である。したがって、同一部分に同一符号を記して説明は省略する。
【００４４】
この医療用活栓によると、高圧がかかる場合、例えば合流分岐管１４を介したシリンジ等を用いたワンショット注入時に、溝部４３内に送り込まれた薬液が所定の流路から外れた他の部分に漏れることを防止できるとともに、溝部４４内に送り込まれた薬液が所定の流路から外れた他の部分に漏れることも防止できる。このため、より確実なシールが可能になる。この切換操作栓４０を備えた医療用活栓のそれ以外の作用効果については、前述した医療用活栓Ａと同一である。
【００４５】
（第３実施形態）
また、図示は省略するが、本発明に係る第３実施形態として、前述した切換操作栓３０における溝部３３を形成する部分（表面層部分）とシール部３５とを一体にした中継流路形成部材を形成するとともに、切換栓３１における溝部３３に対応する部分を一回り大きくした形状の切換栓本体を形成し、その切換栓本体に中継流路形成部材を組み付けることもできる。これによると、溝部とシール部とを切換栓本体とは別体からなる中継流路形成部材として成形できるためその成形が容易になる。また、本実施形態によると、中継流路形成部材を軟質材料、例えばポリエーテルブロックアミド、シリコーン、ポリプロピレン、ポリエチレン等で構成し、切換栓本体を硬質材料、例えばポリカーボネート、ポリオキシメチレン、金属等で構成する等異なる材質や性能を備えたものを組み合わせることができる。本実施形態のそれ以外の作用効果については、前述した医療用活栓Ａと同様である。
【００４６】
同様に、前述した切換操作栓４０における溝部４３を形成する部分とシール部４５とを一体にした中継流路形成部材および溝部４４を形成する部分とシール部４６とを一体にした中継流路形成部材を形成するとともに、切換栓４１における溝部４３，４４に対応する部分を一回り大きくした形状の切換栓本体を形成し、その切換栓本体に二つの中継流路形成部材を組み付けることもできる。これによっても、溝部とシール部とを切換栓本体とは別体からなる二つの中継流路形成部材として成形できるためその成形が容易になる。また、この場合も、中継流路形成部材を軟質材料で構成し、切換栓本体を硬質材料で構成する等異なる材質や性能を備えたものを組み合わせることができる。この実施形態のそれ以外の作用効果については、前述した第２実施形態に係る医療用活栓と同様である。
【００４７】
また、本発明に係る医療用活栓は、前述した実施形態に限定するものでなく、適宜変更実施が可能である。例えば、前述した実施形態では、医療用活栓を、三つの分岐管を備えた所謂三方活栓としているが、この医療用活栓は、三方活栓に限るものでなく、上流分岐管と下流分岐管との二つの分岐管だけを備えたもので構成することもできる。また、切換栓に設ける中継流路は、切換栓の外周面に設けた溝部だけでなく切換栓の外周面の一方から他方に貫通する貫通孔等で構成することもできる。また、前述した実施形態では、仕切り壁１６の上面を傾斜面１７で構成しているが、この面は傾斜面でなく平らな面で構成してもよい。さらに、本発明に係る医療用活栓のそれ以外の部分についても、本発明の技術的範囲で適宜変更することができる。
【符号の説明】
【００４８】
１１…チャンバー部、１２…上流分岐管、１３…下流分岐管、１４…合流用分岐管、１４ａ…連通穴、３１，４１…切換栓、３３，３４，４３，４４…溝部、３５，４５，４６…シール部、Ａ…医療用活栓。
【図１】
0005523003.tif 000002
【図２】
0005523003.tif 000003
【図３】
0005523003.tif 000004
【図４】
0005523003.tif 000005
【図５】
0005523003.tif 000006
【図６】
0005523003.tif 000007
【図７】
0005523003.tif 000008
【図８】
0005523003.tif 000009
【図９】
0005523003.tif 000010
【図１０】
0005523003.tif 000011
【図１１】
0005523003.tif 000012
【図１２】
0005523003.tif 000013
【図１３】
0005523003.tif 000014
【図１４】
0005523003.tif 000015
【図１５】
0005523003.tif 000016